(57)【要約】【課題】  段鼻部を有する階段に容易に施工できる階段用シートを提供する。【解決手段】  踏み面部、蹴込み面部、及び前記踏み面部と蹴込み面部の間において前方に突設された段鼻部を有する階段の前記踏み面部、段鼻部及び蹴込み面部に施工される階段用シート３であって、柔軟な本体層３１と、前記本体層３１の裏面又は内部に積層された繊維補強層３２と、を有し、段鼻部の上出隅部に対応する領域、下出隅部に対応する領域及び下入隅部に対応する領域に、前記繊維補強層３２を分断する線状切込み７が幅方向に形成されている。【選択図】  図６
2019190087.tif 000002
【特許請求の範囲】
【請求項１】
踏み面部、蹴込み面部、及び前記踏み面部と蹴込み面部の間において前方に突設された段鼻部を有する階段の前記踏み面部、段鼻部及び蹴込み面部に施工される階段用シートにおいて、
柔軟な本体層と、前記本体層の裏面又は内部に積層された繊維補強層と、を有し、
段鼻部の上出隅部に対応する領域、下出隅部に対応する領域及び下入隅部に対応する領域に、前記繊維補強層を分断する線状切込みが幅方向に形成されている、階段用シート。
【請求項２】
前記本体層の表面に、滑り止め凸部に隣接する凹部が形成されており、
前記段鼻部の上出隅部に対応する領域であって前記凹部に対応する裏面側に、１本の線状切込みが独立して形成され、
前記段鼻部の下出隅部に対応する領域及び下入隅部に対応する領域に、複数本の線状切込みが幅方向と直交する方向に並んで形成されている、請求項１に記載の階段用シート。
【請求項３】
踏み面部、蹴込み面部、及び前記踏み面部と蹴込み面部の間において前方に突設された段鼻部を有する階段の前記踏み面部、段鼻部及び蹴込み面部に、請求項１または２に記載の階段用シートを施工する方法であって、
前記段鼻部の上面、前面及び下面に両面粘着テープを貼付けると共に、前記踏み面部の上面及び前記蹴込み面部の前面に接着剤を塗布する工程、
前記階段用シートを、上出隅部に対応する領域に形成された線状切込みにて折り曲げ、前記段鼻部の上面及び前面の両面粘着テープに貼り付ける工程、
前記階段用シートを、下出隅部に対応する領域に形成された線状切込みにて折り曲げ、前記段鼻部の下面の両面粘着テープに貼り付ける工程、
前記階段用シートを、下入隅部に対応する領域に形成された線状切込みにて折り曲げ、前記蹴込み面部の前面の接着剤に貼り付ける工程、
を有する、階段用シートの施工方法。
【請求項４】
踏み面部、蹴込み面部、及び前記踏み面部と蹴込み面部の間において前方に突設された段鼻部を有する階段と、前記踏み面部、段鼻部及び蹴込み面部に沿って貼り付けられている階段用シートと、から構成され、
前記階段用シートが、本体層と、前記本体層の裏面又は内部に積層された繊維補強層と、を有し、
前記階段用シートが、前記段鼻部の上出隅部、下出隅部及び下入隅部において折り曲げられており、
前記階段用シートのうち前記段鼻部の上出隅部に対応する領域、下出隅部に対応する領域及び下入隅部に対応する領域に、前記繊維補強層を分断する線状切込みが幅方向にそれぞれ形成されている、階段構造。
【発明の詳細な説明】
【技術分野】
【０００１】
本発明は、一般住宅、マンション、オフィスビルなどの各種構造物の階段の表面に施工される階段用シートなどに関する。
【背景技術】
【０００２】
特許文献１には、踏み面部、蹴込み面部、及び前記踏み面部と蹴込み面部の間において前方に突設された段鼻部を有する階段と、前記踏み面部、段鼻部及び蹴込み面部に沿って貼り付けられている階段用シートと、から構成される階段構造が開示されている。前記階段用シートは、段鼻部の外形に沿って折り曲げることにより、蹴込み面部、段鼻部及び蹴込み面部に沿って貼り付けられている。
かかる階段構造は、段鼻部に対応する階段用シートの表面に、特定の長状凸部が形成されているので、歩行者の足裏の滑りを効果的に防止でき、好ましいものである。
【先行技術文献】
【特許文献】
【０００３】
【特許文献１】特開２０１２−０２６１４８号公報
【発明の概要】
【０００４】
一般的な階段では、歩行者が昇降時に足を載せ易くするために、踏み面部の面積を大きくするために、段鼻部が前方に突設されていることが多い。かかる段鼻部は、蹴込み面部よりも前方に突設されているので、階段は、段鼻部において上出隅部、下出隅部及び下入隅部という３箇所の隅部を有する。このため、階段用シートを階段に貼り付ける際には、段鼻部の３箇所の隅部に対応する領域において階段用シートを綺麗に折り曲げながら施工しなければならない。
【０００５】
しかしながら、階段用シートを段鼻部の３箇所の隅部に沿うように綺麗に折り曲げつつ皺などが発生しないように美観良く貼り付けるには熟練を要するが、施工熟練者の数も限りがある。
また、歩行者の昇降時に足裏で踏まれる階段用シートは、ある程度の剛性を有するものが使用されるので、前記折り曲げ施工が困難であり、特に、繊維補強層を有する階段用シートは剛性が高いので、より施工が困難となる。
従って、比較的容易に施工できる階段用シートが求められている。
【発明が解決しようとする課題】
【０００６】
本発明の目的は、段鼻部を有する階段に容易に施工できる階段用シート及びその施工方法などを提供することである。
【課題を解決するための手段】
【０００７】
本発明の階段用シートは、踏み面部、蹴込み面部、及び前記踏み面部と蹴込み面部の間において前方に突設された段鼻部を有する階段の前記踏み面部、段鼻部及び蹴込み面部に施工される階段用シートにおいて、柔軟な本体層と、前記本体層の裏面又は内部に積層された繊維補強層と、を有し、段鼻部の上出隅部に対応する領域、下出隅部に対応する領域及び下入隅部に対応する領域に、前記繊維補強層を分断する線状切込みが幅方向に形成されている。
【０００８】
本発明の好ましい階段用シートは、前記本体層の表面に、滑り止め凸部に隣接する凹部が形成されており、前記段鼻部の上出隅部に対応する領域であって前記凹部に対応する裏面側に、１本の線状切込みが独立して形成され、段鼻部の下出隅部に対応する領域及び下入隅部に対応する領域に、複数本の線状切込みが幅方向と直交する方向に並んで形成されている。
【０００９】
本発明の別の局面によれば、階段用シートの施工方法を提供する。
本発明の階段用シートの施工方法は、踏み面部、蹴込み面部、及び前記踏み面部と蹴込み面部の間において前方に突設された段鼻部を有する階段の前記踏み面部、段鼻部及び蹴込み面部に、上記いずれかの階段用シートを施工する方法であって、前記段鼻部の上面、前面及び下面に両面粘着テープを貼付けると共に、前記踏み面部の上面及び前記蹴込み面部の前面に接着剤を塗布する工程、前記階段用シートを、上出隅部に対応する領域に形成された線状切込みにて折り曲げ、前記段鼻部の上面及び前面の両面粘着テープに貼り付ける工程、前記階段用シートを、下出隅部に対応する領域に形成された線状切込みにて折り曲げ、前記段鼻部の下面の両面粘着テープに貼り付ける工程、前記階段用シートを、下入隅部に対応する領域に形成された線状切込みにて折り曲げ、前記蹴込み面部の前面の接着剤に貼り付ける工程、を有する。
【００１０】
本発明の別の局面によれば、階段構造を提供する。
本発明の階段構造は、踏み面部、蹴込み面部、及び前記踏み面部と蹴込み面部の間において前方に突設された段鼻部を有する階段と、前記踏み面部、段鼻部及び蹴込み面部に沿って貼り付けられている階段用シートと、から構成され、前記階段用シートが、本体層と、前記本体層の裏面又は内部に積層された繊維補強層と、を有し、前記階段用シートが、前記段鼻部の上出隅部、下出隅部及び下入隅部において折り曲げられており、前記階段用シートのうち前記段鼻部の上出隅部に対応する領域、下出隅部に対応する領域及び下入隅部に対応する領域に、前記繊維補強層を分断する線状切込みが幅方向にそれぞれ形成されている。
【発明の効果】
【００１１】
また、本発明の階段用シートは、段鼻部を有する階段に容易に施工できる。また、本発明の階段用シートは、施工後、階段に長期間安定的に貼り付き、シート浮きも生じ難いという利点がある。
【図面の簡単な説明】
【００１２】
【図１】本発明に係る階段構造の斜視図。
【図２】階段の一部省略側面図。
【図３】階段用シートの平面図。
【図４】階段用シートの背面図。
【図５】階段用シートの拡大側面図。
【図６】図５のＶＩ−ＶＩ’部拡大図。
【図７】図６のＶＩＩ−ＶＩＩ’部拡大図。
【図８】図３のＶＩＩＩ−ＶＩＩＩ線で切断した拡大断面図。
【図９】階段用シートを階段に施工する過程を示す一部省略断面図。
【図１０】階段用シートを階段に施工する過程を示す一部省略断面図。
【図１１】階段構造の一部省略断面図。
【図１２】第１変形例に係る階段用シートの拡大断面図。
【図１３】第１変形例に係る階段用シートの拡大断面図。
【発明を実施するための形態】
【００１３】
以下、本発明について、適宜図面を参照しつつ説明する。
本明細書において、「上方」は階段を登っていく側を、「下方」はこれと反対に階段を降りていく側を、「前方」は蹴込み面部から離れる側を、「後方」はこれと反対に蹴込み面部に近づく側を、「幅方向」は、上下方向と前後方向に直交する方向を意味する。
本明細書において、平面視は、階段用シートの表面に対して直交する方向から見ることをいい、平面視形状は、その方向から見たときの形状をいう。また、断面視形状は、階段用シートを厚み方向で切断したときの形状をいう。
本明細書において、「下限値Ｘ〜上限値Ｙ」で表される数値範囲は、下限値Ｘ以上上限値Ｙ以下を意味する。前記数値範囲が別個に複数記載されている場合、任意の下限値と任意の上限値を選択し、「任意の下限値〜任意の上限値」を設定できるものとする。
【００１４】
＜階段構造の概要＞
図１に示すように、本発明の階段構造１は、踏み面部４、蹴込み面部６及び段鼻部５を有する階段２と、前記階段２の表面に貼り付けられた階段用シート３と、から構成されている。
階段用シート３は、段鼻部５において折り曲げられ、階段２の表面に沿って貼り付けられている。
以下、階段２及び階段用シート３を説明した後、階段構造１の詳細を説明する。
【００１５】
＜階段＞
階段２は、木板の組み合わせ構造体、コンクリート構造体などの構造物である。
階段２は、図２に示すように、踏み面部４と段鼻部５と蹴込み面部６とを一段とし、これが複数段上方に連設されている。
段鼻部５は、蹴込み面部６の上方位置において踏み面部４の前方に突出されている。通常、踏み面部４と段鼻部５は、１つの部材で一体的に形成されるため、図２では、踏み面部４と段鼻部５の概念上の境界を短破線で示している。
通常、踏み面部４の上面４ａと蹴込み面部６の前面６ａが略直交状となるように踏み面部４及び蹴込み面部６は形成される。もっとも、蹴込み面部６の前面６ａが踏み面部４の上面４ａに対して鈍角又は鋭角に傾斜するように、踏み面部４及び蹴込み面部６が形成されていてもよい。
段鼻部５の上面５ａは踏み面部４の上面４ａと面一に形成され、段鼻部５の下面５ｃは踏み面部４の上面４ａと略平行に形成される。通常、段鼻部５の前面５ｂは蹴込み面部６の前面６ａと略平行に形成されるが、上述のように、蹴込み面部６の前面６ａが踏み面部４の上面４ａに対して略直交状でなく傾斜するように形成されている場合には、段鼻部５の前面５ｂは蹴込み面部６の前面６ａに対して非平行状に形成される場合が多い。
なお、階段２の表面は、踏み面部４の上面、段鼻部５の上面、前面及び下面、蹴込み面部６の前面から構成される。
【００１６】
段鼻部５の前方上部は、略直角状の出隅５１（以下、上出隅部５１という）とされ、段鼻部５の前方下部は、略直角状の出隅５２（以下、下出隅部５２という）とされ、段鼻部５の後方下部は、入隅５３（以下、下入隅部５３という）とされている。
踏み面部４及び段鼻部５の上面長さ４ａＬは、上段の蹴込み面部６の入隅部Ｘから段鼻部５の上出隅部５１までの直線長さをいい、段鼻部５の前面長さ５ｂＬは、上出隅部５１から下出隅部５２までの直線長さをいい、段鼻部５の下面長さ５ｃＬは、下出隅部５２から下入隅部５３までの直線長さをいい、蹴込み面部６の前面長さ６ａＬは、下入隅部５３から下段の入隅部Ｚまでの直線長さをいう。
【００１７】
標準的な一般住宅の屋内階段にあっては、各寸法は下記の通りである。
踏み面部４の幅は、特に限定されず、例えば、７５０ｍｍ〜１５００ｍｍであり、好ましくは８００ｍｍ〜１４００ｍｍである。
踏み面部４及び段鼻部５の上面長さ４ａＬは、特に限定されず、例えば、１５０ｍｍ〜９００ｍｍであり、好ましくは、２００ｍｍ〜３００ｍｍである。
段鼻部５の前面長さ５ｂＬは、特に限定されず、例えば、１５ｍｍ〜５０ｍｍであり、好ましくは、２０ｍｍ〜４０ｍｍである。
段鼻部５の下面長さ５ｃＬは、特に限定されず、例えば、１５ｍｍ〜５０ｍｍであり、好ましくは、２０ｍｍ〜３５ｍｍである。
蹴込み面部６の前面長さ６ａＬは、特に限定されず、例えば、１４０ｍｍ〜２３０ｍｍであり、好ましくは、１５０ｍｍ〜２１０ｍｍである。
【００１８】
既存の階段の寸法及び新設の階段２の寸法は、一律ではないが、ある程度の範囲内に収まっていることが多く、後述する階段用シートの線状切込みの形成位置及び形成数は、階段２の寸法を考慮して設計される。
【００１９】
＜階段用シート＞
図３は、階段用シートを表面側から見た平面図、図４は、裏面側から見た背面図、図５は、図３の右側から見た側面を拡大した側面図、図６は、図５のＶＩ−ＶＩ’で区切られた部分をさらに拡大した側面図、図７は、図６のＶＩＩ−ＶＩＩ’で区切られた部分をさらに拡大した側面図、図８は、図３のＶＩＩＩ−ＶＩＩＩ線で切断して拡大した断面図である。
階段用シート３の幅方向は、階段２の幅方向と同じ方向であり、階段用シート３の長さ方向は、階段用シート３の幅方向に対して直交する方向をいう。
【００２０】
階段用シート３は、図３及び図４に示すように、平面視略矩形状に形成されている。
階段用シート３の幅（幅方向の長さ）は、前記踏み面部４の幅と同じ又はそれよりも数ｃｍ〜十数ｃｍ程度大きく設定されている。
階段用シート３の長さ（長さ方向の長さ）は、階段２の一段の長さ（前記踏み面部４及び段鼻部５の上面長さ４ａＬ＋段鼻部５の前面長さ５ｂＬ＋段鼻部５の下面長さ５ｃＬ＋蹴込み面部６の前面長さ６ａＬ）と同じ又はそれよりも数ｃｍ〜十数ｃｍ程度大きく設定されている。
階段用シート３は、柔軟性を有し、容易に湾曲させることができる。前記柔軟性は、本発明の階段用シート３を人力で直径約１５ｃｍの軸芯にロール状に巻くことができる程度に軟らかいことをいう。
【００２１】
図６乃至図８を参照して、階段用シート３は、柔軟な本体層３１と、前記本体層３１の裏面又は内部に積層された繊維補強層３２と、を有する。本実施形態では、繊維補強層３２は、本体層３１の裏面に積層されている。
本体層３１は、基材層３１１と、基材層３１１の表面側に積層された装飾層３１２と、を有する。
本体層３１の厚みは、特に限定されず、例えば、１ｍｍ〜７ｍｍであり、好ましくは、１．５ｍｍ〜４ｍｍである。
【００２２】
基材層３１１は、階段用シート３の主要部を成しており、例えば、合成樹脂などを用いて形成される。
基材層３１１は、１層構造でもよく、２層以上の積層構造でもよい。また、基材層３１１は、発泡層から形成されていてもよく、非発泡層から形成されていてもよい。２層以上の積層構造からなる基材層（図示せず）は、発泡層と非発泡層の積層構造であってもよい。
衝撃緩和性、クッション性及び防音性に優れることから、基材層３１１は、発泡層を含んでいることが好ましい。図示例では、便宜上、基材層３１１として、発泡層のみからなる１層構造を例示している。
基材層３１１の材質は、特に限定されず、塩化ビニル樹脂、ウレタン樹脂、ポリプロピレンやポリエチレンなどのオレフィン樹脂、エチレン−酢酸ビニル共重合体などの酢酸ビニル樹脂、エチレン−メタクリレート樹脂などのアクリル樹脂、アミド樹脂、エステル樹脂などの熱可塑性樹脂；オレフィン系エラストマー、スチレン系エラストマーなどの熱可塑性エラストマーなどが挙げられる。加工性が良く、強度及び耐久性に優れ、曲げにも柔軟に追随しやすく、低コストであることから、塩化ビニル樹脂を用いた基材層３１１が好ましい。
【００２３】
基材層３１１が発泡層を含む場合、その発泡層の形成方法としては、例えば、発泡剤を添加した樹脂組成物（例えば、発泡剤を添加したペースト状塩化ビニル樹脂）を繊維補強層上に積層した後、加熱炉や加熱ロールに通してこれを発泡させる方法；発泡剤を添加した樹脂組成物を発泡させながら繊維補強層上に積層する方法；発泡剤を添加した樹脂組成物から未発泡シートを成形した後、加熱ロールなどに通して発泡シートを得る方法などが挙げられる。発泡層の発泡倍率は特に限定されないが、経時的に圧縮され難いことから、１．１倍〜７倍が好ましく、２倍〜５倍がより好ましい。
発泡層の厚みは、特に限定されないが、衝撃緩和性及びクッション性に優れた階段構造１を構成するために、例えば、０．９ｍｍ〜６．９ｍｍであり、好ましくは１ｍｍ〜３ｍｍである。
【００２４】
装飾層３１２としては、例えば、デザインを転写した転写層、デザインを印刷した印刷層、デザイン印刷済みのフィルム層などを用いることができる。装飾層３１２の色彩又は模様は、特に限定されず任意に設定できる。例えば、装飾層３１２の色彩又は模様は、木のような色彩・模様を有する木目模様、石のような色彩・模様を有する石目模様、抽象柄などに設定できる。
なお、装飾層３１２の表面には、表面保護層（図示せず）が設けられていてもよい。
【００２５】
繊維補強層３２は、階段用シート３の剛性を高め、さらに、階段用シート３に寸法安定性を付与するための層である。
繊維補強層３２に用いられる繊維は、特に限定されず、例えば、ガラス繊維、炭素繊維、金属繊維、セラミック繊維、ロックウールなどの無機繊維；ビニロン繊維、ポリエステル繊維、ポリアミド繊維、ポリイミド繊維などの合成繊維；綿、羊毛などの天然繊維；などが挙げられる。これらの中でも、強度に優れ、かつ、寸法変化が小さいという点から、無機繊維が好ましく、特にガラス繊維を用いることが好ましい。
繊維補強層３２は、無機繊維などの繊維の不織布、織布、編み物などが挙げられる。
繊維補強層３２の目付量は特に限定されないが、例えば、ガラス繊維を含む繊維補強層３２を用いる場合、１０ｇ／ｍ２〜１２０ｇ／ｍ２のガラス繊維織布又は不織布が特に好ましい。なお、ガラス繊維以外の繊維を用いた場合でも、前記と同程度の目付量の織布又は不織布が好ましい。
繊維補強層３２の厚みは、特に限定されないが、例えば、０．１ｍｍ〜０．５ｍｍであり、好ましくは０．１５ｍｍ〜０．４ｍｍである。
【００２６】
前記階段用シート３の表面には、滑り止め凸部３８が形成され、滑り止め凸部３８に隣接して凹部３９が形成されている。
滑り止め凸部３８は、階段用シート３の表面の一部分を凹ませることによって形成されていてもよく、或いは、階段用シート３の表面の一部分を突出させることによって形成されていてもよい。いずれの場合でも、凸部は、その凸部に隣接する凹みよりも相対的に突出した部分と観念できる。凸部と凹部は、相対的な概念であり、凹部３９を基準として突出している部分が滑り止め凸部３８である。
滑り止め凸部３８の形態は、特に限定されず、例えば、特許文献１（特開２０１２−０２６１４８号公報）に開示されたような複数本の長状凸部でもよく、幅方向に断続的に形成された凸部などであってもよい。
【００２７】
図３乃至図８を参照して、本実施形態では、例えば、本体層３１の表面に、滑り止め凸部３８としてその幅方向全体に延びる細長い凸部が形成されている。この滑り止め凸部３８に隣接して、本体層３１の表面には、幅方向に延びる細長い凹部３９が形成されている。
滑り止め凸部３８は、好ましくは長さ方向に複数本並設され、図示例では、６つの滑り止め凸部３８が形成されている。
好ましくは、１つの滑り止め凸部３８１（以下、第１滑り止め凸部３８１という）が独立して形成され、残る複数の滑り止め凸部３８２（以下、第２滑り止め凸部３８２という）が長さ方向に連続的に並設されている。
第１滑り止め凸部３８１の両側には、幅方向に延びる凹部３９が形成されている。また、複数（図示例では５つ）の第２滑り止め凸部３８２の両側にも凹部３９が形成されている。各凹部３９の深さ及び長さは特に限定されず、互いに異なっていてもよく、或いは、同じでもよく、一部が異なり残部が同じであってもよい。
図示例では、第１滑り止め凸部３８１と第２滑り止め凸部３８２の間に存する凹部３９１は、その他の凹部３９に比して深く且つ長く形成されている。
【００２８】
また、階段用シート３には、本発明の特徴の１つである、線状切込み７が形成されている。
線状切込み７は、少なくとも繊維補強層３２を分断するように形成されているものである。
繊維補強層３２を有する階段用シート３は、その剛性により、略直角状に比較的折り曲げ難く、また、施工後には繊維補強層３２の引張り復元力により、略直角状に折り曲げた部分が弧状に変形しやすいが、線状切込み７を設けることにより、階段用シート３を略直角状などに折り曲げ易くなり、また、施工後も略直角状を維持させ易くなる。
【００２９】
線状切込み７は、階段用シート３の幅方向に延設されている。線状切込み７は、階段用シート３の幅方向全体に亘って形成されていてもよく、或いは、幅方向に断続的に形成されていてもよい。なお、幅方向に断続的に形成されるとは、階段用シートの裏面側から見たときに、線状切込み７が、点線状や破線状などの非連続状の線を成して幅方向に延設されていることをいう。
好ましくは、図示のように、線状切込み７は、階段用シート３の全体に亘って形成され、より好ましくは、幅方向に直線状に延設されている。幅方向全体に亘る線状切込み７を形成することにより、繊維補強層３２の剛性を効果的に下げることができる。
【００３０】
本実施形態のように、繊維補強層３２が本体層３１の裏面側に積層されている場合には、線状切込み７は、階段用シート３の裏面側から繊維補強層３２を分断して形成されている。
線状切込み７は、繊維補強層３２を厚み方向で切断し、線状切込み７にて少なくとも繊維補強層３２を２分するように形成されていればよく、線状切込み７が本体層３１の一部分に至っていてもよく、或いは、本体層３１に至っていなくてもよい。ただし、線状切込み７が本体層３１に至っている場合であっても、線状切込み７は、本体層３１を完全に分断せず、本体層３１の厚み方向中途部にまで形成される。
好ましくは、線状切込み７は、繊維補強層３２を分断し且つ本体層３１の一部分を切り欠くように形成されている。
前記線状切込み７の深さは、少なくとも繊維補強層３２を分断でき且つ本体層３１を完全に分断しない程度であれば特に限定されず、例えば、０．２ｍｍ〜６ｍｍである。特に、繊維補強層３２が本体層３１の裏面側に積層されている場合においては、線状切込み７の深さは、０．２ｍｍ〜１ｍｍが好ましく、０．３ｍｍ〜０．７ｍｍがより好ましい。
【００３１】
線状切込み７の断面視形状は、特に限定されず、図示したような略逆Ｖ字状でもよく、特に図示しないが略逆Ｕ字状、略Ｉ字状（図１２参照）などであってもよい。前記略Ｉ字状の線状切込みは、カッター刃などを用いて繊維補強層３２を有する本体層３１を厚み方向に切り目を形成するだけで得られるので、加工性に優れるが、折り曲げ性にやや劣る可能性がある。この点、略逆Ｖ字状や略逆Ｕ字状の線状切込みは、その形成時に削り滓が生じるが、略Ｉ字状の切込みに比して本体層３１の裏面側を大きく切り欠いているので、折り曲げ性に優れている。特に、略逆Ｖ字状の線状切込みは、折り曲げ性と加工性に優れるので好ましい。
【００３２】
線状切込み７は、階段用シート３の長さ方向、すなわち幅方向と直交する方向において複数本並設されている。
階段用シート３を階段２に施工する際に、階段用シート３は、階段２の踏み面部４の上面４ａ、段鼻部５の上面５ａ、前面５ｂ及び下面５ｃ、並びに、蹴込み面部６の前面６ａに貼り付けられる。
線状切込み７は、階段用シート３のうち、段鼻部５の上出隅部５１に対応する領域（以下、上出隅対応領域という）、段鼻部５の下出隅部５２に対応する領域（以下、下出隅対応領域という）、及び、段鼻部５の下入隅部５３に対応する領域（以下、下入隅対応領域という）にそれぞれ形成されている。
線状切込み７は、踏み面部４に対応する領域及び／又は蹴込み面部６に対応する領域にも形成されていてもよいが、その領域における繊維補強層３２の剛性を低下させないようにするために、踏み面部４に対応する領域及び蹴込み面部６に対応する領域のうち、少なくとも踏み面部４に対応する領域には形成されていないことが好ましい。
【００３３】
なお、上出隅対応領域は、段鼻部５の上出隅部５１及びその上出隅部近傍部に対応する領域をいい、下出隅対応領域は、段鼻部５の下出隅部５２及びその下出隅部近傍部に対応する領域をいい、下入隅対応領域は、施工時に段鼻部５の下入隅部５３及びその下入隅部近傍部に対応する領域をいう。前記上出隅部近傍部は、図２を参照して、段鼻部５の上面５ａのうち上出隅部５１から１０ｍｍ以内の範囲及び段鼻部５の前面５ｂのうち上出隅部５１から１０ｍｍ以内の範囲を含む。前記下出隅部近傍部は、段鼻部５の前面５ｂのうち下出隅部５２から１０ｍｍ以内の範囲及び段鼻部５の下面５ｃのうち下出隅部５２から１０ｍｍ以内の範囲を含む。前記下入隅部近傍部は、段鼻部５の下面５ｃのうち下入隅部５３から１０ｍｍ以内の範囲及び蹴込み面部６の前面６ａのうち下入隅部５３から１０ｍｍ以内の範囲を含む。
【００３４】
階段用シート３の上出隅対応領域、下出隅対応領域及び下入隅対応領域のそれぞれに、線状切込み７が形成されていることにより、それらの領域それぞれで階段用シート３を容易に折り曲げることができる。
階段用シート３の上出隅対応領域には、複数本の線状切込み７が一定間隔又は所定間隔を開けて形成されていてもよく、或いは、１本の線状切込み７が形成されていてもよい。
階段用シート３の施工時に位置決め基準とすることができることから、上出隅対応領域には、１本の線状切込み７が形成されていることが好ましい。この１本の線状切込み７を他の線状切込み７と区別して説明する場合に、この１本の線状切込み７を「位置決め線状切込み７１」という場合がある。
【００３５】
また、位置決め線状切込み７１は、上出隅対応領域の中の任意の箇所に配置すればよいが、階段用シート３の表面に形成された凹部３９の裏面側に配置されていることが好ましい。凹部３９の裏面側に位置決め線状切込み７１を配置することにより、本体層３１の厚みがより小さくなり、位置決め線状切込み７１において階段用シート３を特に折り曲げ易くなる。
特に、位置決め線状切込み７１は、階段用シート３の表面に形成された滑り止め凸部３８と関連付けて配置されていることが好ましい。図示例では、第１滑り止め凸部３８１が段鼻部５の上面の上出隅部近傍部に位置するように施工される階段用シート３を例示している。かかる階段用シート３にあっては、位置決め線状切込み７１は、第１滑り止め凸部３８１に対応する裏面側に配置され、好ましくは、第１滑り止め凸部３８１の両側の凹部３９のうち前方の凹部３９２の裏面側に配置される。
【００３６】
この場合、位置決め線状切込み７１は、その中央部が凹部３９２の範囲内（相対的な概念である凹凸の凹んでいる部分の範囲内）となるように形成されていればよい。好ましくは、その中央部が凹部３９２の最深部から長さ方向に３ｍｍ以内（凹部３９２の最深部を基準として、その長さ方向の左方３ｍｍ〜右方３ｍｍの範囲内）に位置するように位置決め線状切込み７１が形成され、より好ましくは、その中央部が凹部３９２の最深部から長さ方向に１ｍｍ以内（凹部３９２の最深部を基準として、その長さ方向の左方１ｍｍ〜右方１ｍｍの範囲内）に位置するように位置決め線状切込み７１が形成され、さらに好ましくは、図７のように、その中央部が凹部３９２の最深部の直下に位置するように、位置決め線状切込み７１が形成される。
なお、位置決め線状切込み７１の中央部は、図７に示す側面視で、線状切込み線の長さ方向における中間点をいう。
【００３７】
階段用シート３の下出隅対応領域には、複数本の線状切込み７が一定間隔又は所定間隔を開けて形成されていてもよく、或いは、１本の線状切込み７が形成されていてもよい。後述するように、位置決め線状切込み７１にて階段用シート３を折り曲げて順に施工していくと、下出隅部５２に線状切込み７が位置して下出隅対応領域を折り曲げ易くなることから、階段用シート３の下出隅対応領域には、複数本の線状切込み７が一定間隔又は所定間隔を開けて形成されていることが好ましい。
従って、下入隅対応領域には、長さ方向に複数本の線状切込み７が並設されており、前記上出隅対応領域に形成された単独の１本の位置決め線状切込み７１との対比において、下入隅対応領域は、線状切込み７が過密に存在する切込み密集部位とされている。
【００３８】
ここで、図６及び図７を参照して、符号Ｗ１は、下出隅対応領域に形成された複数本の線状切込み７の形成間隔（隣接する線状切込み７の中央部間の長さ方向における距離）を示す。図６を参照して、符号Ｗ２は、下入隅対応領域に形成された複数本の線状切込み７の形成間隔（隣接する線状切込み７の中央部間の長さ方向における距離）を示し、符号Ｗ３は、下出隅対応領域に形成された線状切込み７の中央部と位置決め線状切込み７１の中央部との間隔を示す。また、図５を参照して、符号Ｗ４は、線状切込み７が連続した切込み密集部位の長さを示す。
前記形成間隔Ｗ１は、特に限定されず、例えば、０．５ｍｍ〜５ｍｍであり、好ましくは、１ｍｍ〜４ｍｍである。複数本の線状切込み７の形成間隔は、一定でもよく、異なっていてもよい。
【００３９】
後述するように位置決め線状切込み７１を１本単独で存在させることにより、位置決め基準とできることから、下出隅対応領域に形成された線状切込み７と位置決め線状切込み７１との間隔は、ある程度離れていることが好ましい。例えば、前記間隔Ｗ３は、１０ｍｍ以上であり、好ましくは１５ｍｍ以上であり、より好ましくは２０ｍｍ以上である。また、前記間隔Ｗ３は、例えば、６０ｍｍ以下、好ましくは５０ｍｍ以下である。
【００４０】
階段用シート３の下入隅対応領域には、複数本の線状切込み７が一定間隔又は所定間隔を開けて形成されていてもよく、或いは、１本の線状切込み７が形成されていてもよい。後述するように、位置決め線状切込み７１にて階段用シート３を折り曲げて順に施工していくと、下入隅部５３に線状切込み７が位置して下入隅対応領域を折り曲げ易くなることから、階段用シート３の下入隅対応領域には、複数本の線状切込み７が一定間隔又は所定間隔を開けて形成されていることが好ましい。
従って、下入隅対応領域には、長さ方向に複数本の線状切込み７が並設されており、前記上出隅対応領域に形成された単独の１本の位置決め線状切込み７１との対比において、下入隅対応領域は、線状切込み７が過密に存在する切込み密集部位とされている。
前記形成間隔Ｗ２は、特に限定されず、例えば、０．５ｍｍ〜５ｍｍであり、好ましくは、１ｍｍ〜４ｍｍである。複数本の線状切込み７の形成間隔は、一定でもよく、異なっていてもよい。
また、前記形成間隔Ｗ２と前記形成間隔Ｗ１は、何れか一方が小さくてもよく、或いは、同じであってもよい。好ましくは、前記形成間隔Ｗ２を前記形成間隔Ｗ１よりも小さくすることにより、一般的には追従し難い下入隅部５３に、階段用シート３を容易に施工できる。
【００４１】
前記下出隅対応領域及び下入隅対応領域において、両領域に形成される線状切込み７が連続していてもよい。
図５では、下出隅対応領域から下入隅対応領域にかけて、複数本の線状切込み７が一定間隔又は所定間隔を開けて長さ方向に連続的に形成されている場合を例示している。
この線状切込み７が連続した切込み密集部位の長さＷ４は、例えば、４０ｍｍ〜１３０ｍｍであり、好ましくは５０ｍｍ〜１００ｍｍである。
切込み密集部位における線状切込み７の数は、例えば、８〜１２０本、好ましくは１０〜８０本である。
【００４２】
なお、前記線状切込み７は、例えば、次のようにして形成できる。
本体層３１及び繊維補強層３２を有する階段用シート３を、従来公知の手順で作製する。
この階段用シート３の裏面側に、回転刃などを幅方向に移動させて、階段用シート３を厚み方向の中途部分まで切断又は切除することにより、前記線状切込み７を形成できる。
【００４３】
＜階段用シートの施工方法＞
階段用シート３は、既存の階段又は新設の階段に施工できる。
本発明の階段用シート３の施工方法は、例えば、階段用シートの調整工程、接着手段を具備させる工程、階段用シートを折り曲げながら前記接着手段を介して階段に貼り付ける工程、を有する。
【００４４】
（階段用シートの調整）
施工に際して、階段２の各寸法を計測する。
階段用シート３の幅を、施工対象の階段２の幅に合わせて調整する。
階段用シート３は、比較的多くの階段に施工できるようにするため（汎用性を持たせるため）、標準的な階段の寸法よりも大きく形成されている。
このため、例えば、階段用シート３の幅が階段２の幅よりも大きい場合には、それに合わせて階段用シート３を裁断する。
階段用シート３の長さを、施工対象の階段２に合わせて調整する。後述するように、本発明の階段用シート３は、位置決め線状切込み７１を基準にすると容易に施工できるので、階段用シート３の長さの調整も、位置決め線状切込み７１を基準とすることが好ましい。
すなわち、階段用シート３の位置決め線状切込み７１から一方端までの長さを、踏み面部４及び段鼻部５の上面長さ４ａＬ、と同じとする。例えば、階段用シート３の位置決め線状切込み７１から一方端までの長さが、踏み面部４及び段鼻部５の上面長さ４ａＬよりも大きい場合には、それに合わせて階段用シート３の長さ方向一方端側を適宜裁断する。
同様に、階段用シート３の位置決め線状切込み７１から反対端までの長さを、段鼻部５の前面長さ５ｂＬ＋段鼻部５の下面長さ５ｃＬ＋蹴込み面部６の前面長さ６ａＬ、と同じとする。階段用シート３の位置決め線状切込み７１から反対端までの長さが、段鼻部５の前面長さ５ｂＬ＋段鼻部５の下面長さ５ｃＬ＋蹴込み面部６の前面長さ６ａＬよりも大きい場合には、それに合わせて階段用シート３の長さ方向反対端側を適宜裁断する。
【００４５】
（接着手段の準備）
図９に示すように、階段２の踏み面部４、段鼻部５及び蹴込み面部６に、接着手段を設ける。接着手段は、階段用シート３を階段２に接着できるものであれば特に限定されず、例えば、両面粘着テープ、接着剤、粘着剤、コーキング剤などが挙げられ、好ましくは、両面粘着テープ及び／又は接着剤が好適に用いられる。
両面粘着テープは、初期タックに優れ、階段用シート３を折り曲げた状態で素早く且つ奇麗に階段用シート３を接着させることができる。接着剤は、未固化の状態では流動性に優れており、階段用シート３の貼り付け位置の微調整や貼り直しを容易に行うことができる。このため、両面粘着テープと接着剤を併用することが好ましい。
【００４６】
両面粘着テープと接着剤を併用する場合、両者の使用箇所は適宜設定できる。
初期の階段用シート３の貼り付け位置が決まり易く、且つ、下入隅部５３に沿って階段用シート３を綺麗に貼り付けることができることから、少なくとも段鼻部５の上面、前面及び下面に両面粘着テープを貼り付け、且つ、蹴込み面部６の前面に接着剤を塗布することが好ましい。
図示例では、段鼻部５の上面、前面及び下面並びに踏み面部４の上面の前方部位（段鼻部５の上面に連続する踏み面部４の上面の一部分）に、両面粘着テープ８１を貼り付け、踏み面部４の上面の残部（踏み面部４の上面の後方部位）及び蹴込み面部６の前面に接着剤８２を塗布している。
前記両面粘着テープ８１は、その粘着剤の露出面を階段側に向けて貼り付けられており、その反対面には、剥離可能な離型紙８３が仮添付されている。
【００４７】
段鼻部５の上面、前面及び下面並びに踏み面部４の上面の前方部位に貼り付けられる両面粘着テープ８１は、単一のものでもよく、幾つかに分割されていてもよい。特に図示しないが、例えば、１枚の両面粘着テープが、段鼻部５の上面及び踏み面部４の上面の前方部位に貼り付けられ、もう１枚の両面粘着テープが、段鼻部５の前面に貼り付けられ、更にもう１枚の両面粘着テープが、段鼻部５の下面に貼り付けられていてもよい（この場合には、３つに分割された両面粘着テープが貼り付けられている）。
例えば、段鼻部５の前面において上下で２つに分割されるように、両面粘着テープを貼り付ける。
この態様の一例としては、例えば、図９に示すように、１枚の両面粘着テープ８１’が、段鼻部５の前面の上方部位、段鼻部５の上面及び踏み面部４の上面の前方部位に貼り付けられ、もう１枚の両面粘着テープ８１”が、段鼻部５の前面の下方部位及び段鼻部５の下面に貼り付けられている。
なお、両面粘着テープ８１は、段鼻部５の上面、前面及び下面の各面の、全体に貼り付けられる場合に限られず、段鼻部５の上面の少なくとも一部分、段鼻部５の前面の少なくとも一部分、及び／又は段鼻部５の下面の少なくとも一部分に貼り付けられていてもよい。
【００４８】
（階段用シートの貼り付け）
階段用シート３の一方端を上段の蹴込み面部６に位置合わせしつつ階段用シート３を踏み面部４の上面及び段鼻部５の上面に貼り付ける。
階段用シート３には、位置決め線状切込み７１が形成されているので、階段用シート３を容易に略直角状に折り曲げることができる。
上述のように、位置決め線状切込み７１を基準にして、階段用シート３の長さを、踏み面部４及び段鼻部５の上面長さ４ａＬに調整しているので、位置決め線状切込み７１を段鼻部５の上出隅部５１に略一致させると、自ずと階段用シート３を踏み面部４の上面及び段鼻部５の上面にほぼぴったりと納まるようになる。
また、上述のように、位置決め線状切込み７１は滑り止め凸部３８と関連付けた位置に形成されているので、位置決め線状切込み７１を段鼻部５の上出隅部５１に略一致させて階段用シート３を貼り付けることにより、第１滑り止め凸部３８１も段鼻部５の上面に位置するようになる。
【００４９】
具体的には、位置決め線状切込み７１にて階段用シート３を折り曲げる。
前記階段用シート３の折り曲げと前後して、両面粘着テープ８１の離型紙８３を引き剥がす。好ましくは、少なくとも段鼻部５の前面の上方部位及び段鼻部５の上面に貼り付けられた両面粘着テープ８１’の離型紙８３を引き剥がす。
位置決め線状切込み７１にて折り曲げた階段用シート３を、位置決め線状切込み７１が段鼻部５の上出隅部５１に略一致するように位置合わせして貼り付ける。すると、図１０に示すように、階段用シート３の位置決め線状切込み７１から一方端までを、両面粘着テープ８１’及び接着剤を介して、段鼻部５の上面及び踏み面部４の上面に貼り付けることができ、同時に、階段用シート３の一部分を、両面粘着テープ８１’を介して、段鼻部５の前面の上方部位に貼り付けることができる。
なお、（予め階段用シート３を折り曲げず）階段用シート３の位置決め線状切込み７１から一方端までを、両面粘着テープ８１’及び接着剤を介して、段鼻部５の上面及び踏み面部４の上面に貼り付けた後、位置決め線状切込み７１にて折り曲げつつ両面粘着テープ８１’を介して、段鼻部５の前面の上方部位に貼り付けてもよい。
【００５０】
必要に応じて、階段用シート３の表面側から階段側に階段用シート３を押圧し、階段用シート３を、段鼻部５の上面及び前面の上方部位並びに踏み面部４の上面に、十分に接着させる。
段鼻部５の上面及び段鼻部５の前面に、両面粘着テープ８１を配置することにより、階段用シート３の貼り付け初期の位置が決まり易くなる。つまり、段鼻部５の上面及び前面に貼り付ける接着手段として両面粘着テープ８１を用いると、一旦それに貼り付けた階段用シート３が面方向に位置ずれし難くなるので、階段用シート３の初期位置が固定される。このように段鼻部５の上出隅部５１の近傍に対する階段用シート３の初期位置をしっかりと固定できることにより、施工者がその後の作業をする際に、階段用シート３が位置ずれせず、折り曲げや貼り付け作業を容易に行えるようになる。
【００５１】
なお、階段用シート３を貼り付ける際には、階段用シート３のうち、位置決め線状切込み７１から離れた領域ほどずれ易いことが本発明者らの研究で判明している。そのため、位置決め線状切込み７１から離れた領域は、施工初期の段階で階段に固定しないことが好ましい。そのため、踏み面部４の上面の後方部位及び蹴込み面部６の前面に対する接着手段としては、流動性を有する接着剤を用いることが好ましい。つまり、踏み面部４の上面の後方部位及び蹴込み面部６の前面に接着剤を塗布しておくと、それらに貼り付ける階段用シート３の領域をある程度ずらすことができるので、貼り付け位置の調整を容易に行うことができる。
【００５２】
次に、段鼻部５の前面の下方部位及び段鼻部５の下面に貼り付けられた両面粘着テープ８１”の離型紙８３を引き剥がす。
そして、階段用シート３を、両面粘着テープ８１”を介して、段鼻部５の前面の下方部位に貼り付けた後、下出隅部５２において、階段用シート３を折り曲げ、両面粘着テープ８１”を介して、段鼻部５の下面に貼り付ける。
階段用シート３を段鼻部５の前面に貼り付けると、下出隅対応領域に形成された複数本の線状切込み７のいずれかが下出隅部５２に略一致するようになるので、下出隅部５２において階段用シート３を容易に折り曲げることができ、下出隅部５２において略直角状を成して階段用シート３を段鼻部５の下面に綺麗に貼り付けることができる。
【００５３】
さらに、下入隅部５３において、階段用シート３を折り曲げ、接着剤８２を介して、階段用シート３を蹴込み面部６の前面に貼り付ける。階段用シート３を段鼻部５の下面に貼り付けると、下入隅対応領域に形成された複数本の線状切込み７のいずれかが下入隅部５３に略一致するようになるので、下入隅部５３において階段用シート３を容易に折り曲げることができ、下入隅部５３において略直角状を成して階段用シート３を蹴込み面部６の前面に綺麗に貼り付けることができる。
特に、蹴込み面部６の前面には、接着剤８２が塗布されているので、接着剤８２を介して前記前面に貼り付けた階段用シート３を、面方向にずらしながら位置調整を容易に行うことができる。
また、接着剤８２を介して貼り付けた箇所は、接着剤が固化する前であれば、階段用シート３の一部分を剥がして再び貼り付けることができる。例えば、施工時において、事前に裁断した階段用シート３の寸法が少し大きすぎる場合、階段用シート３の端部を引き剥がして裁断した後、再び貼り付けることによって、綺麗に仕上げることが可能となる。
最後に、接着剤８２に対応する階段用シート３を表面側から押圧し、自然乾燥などによって接着剤８２が固化すると、１段の階段用シート３の施工が完了する。
【００５４】
この作業を各段に繰り返して行っていくことにより、図１１に示すような階段構造１を構築できる。
なお、階段用シート３の貼付けは、下段から上段に順次施工してもよく、或いは、上段から下段に順次施工していってもよい。一般的には、下段から上段に順次施工していく方が良好な外観となる場合が多い。
【００５５】
図１１は、本発明の階段構造を示す一部省略断面図である。なお、図１１において、階段用シート３は、基材層（本体層及び装飾層）と繊維補強層を区別せず、全体を１層構造で表している（図１０も同様）。
図１１に示すように、本発明の階段構造１は、前記踏み面部４、段鼻部５及び蹴込み面部６を有する階段２と、前記階段２の踏み面部４、段鼻部５及び蹴込み面部６に沿って貼り付けられた前記階段用シート３と、を有する。
階段用シート３は、段鼻部５の上出隅部５１、下出隅部５２及び下入隅部５３において、略直角状などの所定角状に折り曲げられており、階段用シート３のうち前記段鼻部５の上出隅部５１に対応する領域、下出隅部５２に対応する領域及び下入隅部５３に対応する領域に、線状切込み７が形成されている。特に、上出隅部５１に略一致するように線状切込み７が配置され、好ましくは、上出隅部５１、下出隅部５２及び下入隅部５３のそれぞれに略一致するように線状切込み７が配置されている。
かかる階段構造１は、折り曲げ部分が経時的に元に戻り難く、長期間に亘って安定的に階段用シート３が段鼻部５に接着され、階段用シート３が浮き上がり難いものである。
【００５６】
＜変形例＞
上記実施形態では、線状切込み７は、断面視で略逆Ｖ字状に形成されているが、例えば、図１２に示すように、線状切込み７が、断面視で略Ｉ字状に形成されていてもよい。なお、図１２で示した略Ｉ字状の線状切込み７は、（紙面の左右方向）に空隙を有するように表しているが、これに限られず、カッター刃で切断したような、実質的に空隙を有さない形状であってもよい。
【００５７】
また、上記実施形態では、繊維補強層３２が本体層３１の裏面側に設けられているが、例えば、図１３に示すように、繊維補強層３２が本体層３１の内部に積層されていてもよい。この場合、繊維補強層３２の裏面には、合成樹脂などからなる裏面層３３が積層される。
このように本体層３１の内部に繊維補強層３２が設けられている場合、線状切込み７はその繊維補強層３２のみを分断するように形成されていてもよいが、線状切込み７を簡単に形成できることから、線状切込み７は、少なくとも裏面層３３及び繊維補強層３２を分断するように、裏面層側から形成されていることが好ましい。
線状切込み７の深さは、特に限定されず、例えば、０．３ｍｍ〜６ｍｍであり、好ましくは、０．４ｍｍ〜３ｍｍである。
なお、本体層３１の内部に繊維補強層３２が設けられている場合、本体層３１の裏面に繊維補強層３２を積層し、裏面側から線状切込み７を形成し、その後、裏面層３３を積層し一体化させて、階段用シートを作製してもよい。
【産業上の利用可能性】
【００５８】
本発明の階段用シートは、一般住宅、集合住宅、マンション、オフィスビルなどの各種構造物の階段に利用できる。
【符号の説明】
【００５９】
１  階段構造
２  階段
３  階段用シート
３１  本体層
３２  繊維補強層
３８  滑り止め凸部
３９  凹部
４  階段の踏み面部
５  階段の段鼻部
５１  段鼻部の上出隅部
５２  段鼻部の下出隅部
５３  段鼻部の下入隅部
６  階段の蹴込み面部
７  線状切込み
【図１】
2019190087.tif 000003
【図２】
2019190087.tif 000004
【図３】
2019190087.tif 000005
【図４】
2019190087.tif 000006
【図５】
2019190087.tif 000007
【図６】
2019190087.tif 000008
【図７】
2019190087.tif 000009
【図８】
2019190087.tif 000010
【図９】
2019190087.tif 000011
【図１０】
2019190087.tif 000012
【図１１】
2019190087.tif 000013
【図１２】
2019190087.tif 000014
【図１３】
2019190087.tif 000015